(57)【特許請求の範囲】
【請求項１】
下板部材と、この下板部材の前面両側から上面側に延出する両側部を下板部材に対して平行な連結部で連結した略コ字状の前板部材と、下板部材の背面側に取着される背板部及びこの背板部に連設されて前板部材に取着される上板部を有した略Ｌ字状の上部背面部材と、この上部背面部材の上板部及び下板部材に取着されて上部背面部材及び前板部材間で形成される側面側の空間を塞ぐ両側部材と、下板部材及び前板部材間で形成される前面側の空間を塞ぐ扉とを備えて成り、前記上部背面部材及び両側部材の少なくとも一方に電子機器への電源線及び制御線の電線挿通孔を設けたことを特徴とするキャビネットラック。
【請求項２】
前記上部背面部材の上板部に引掛孔又は引掛爪を設けるとともに前記両側部材の上側に引掛爪又は引掛孔を設け、引掛爪を引掛孔に引掛けるとともに両側部材の下側を前記下板部材にねじ止めして両側部材を取着可能としたことを特徴とする請求項１記載のキャビネットラック。
【請求項３】
前記上部背面部材の上板部の両側に、引掛孔に引掛爪を引掛けた状態で両側部材の上面及び上板部の上面を略面一とする落とし込み片を設けたことを特徴とする請求項２記載のキャビネットラック。
【請求項４】
前記上板部の前板部材側の先端及び前板部材の連結部の後端を、上板部を前板部材に取着するねじの頭部よりも下段側に落とし込んだことを特徴とする請求項１乃至請求項３記載のキャビネットラック。
【請求項５】
前記下板部材に、電線挿通孔に沿って電線挿通孔から挿通された電線を束ねるケーブルサポート部を設けたことを特徴とする請求項１乃至請求項４記載のキャビネットラック。
【請求項６】
前記電線挿通孔は、上部背面部材及び両側部材の少なくとも一方の下端から上方向に切欠して形成されたことを特徴とする請求項５記載のキャビネットラック。
【請求項７】
前記前板部材の連結部の一部を両側部よりも前面に突出させるとともに前記下板部材の一部を前板部材の両側部よりも前面に突出させ、これら連結部の一部及び下板部材の一部に前記扉を開閉自在に枢支させたことを特徴とする請求項１乃至請求項６記載のキャビネットラック。
【請求項８】
前記前板部材の両側部間に、電子機器への制御線を束ねるケーブルサポート部材を取着したことを特徴とする請求項１乃至請求項７記載のキャビネットラック。
【発明の詳細な説明】
【０００１】
【発明の属する技術分野】
本発明は、電子機器を収納するキャビネットラックに関する。
【０００２】
【従来の技術】
この種のキャビネットラックは、底板と、この底板の四周のうちの三方に取着される側板と、これらの側板の先端に取着される天板と、底板の四周の残りの一方に取着される扉とを分割形成し、制御線を接続する制御線接続部を扉側とするとともに電源線を接続する電源線接続部を扉に対向する側板側として電子機器を配設するものである。
【０００３】
底板には、その四隅から上部方向に延出する４本の支柱が取着され、これらの支柱に天板及び３つの側板を螺子により取着している。
【０００４】
このキャビネットラックにあっては、底板、天板、３つの側板の全ての面が分割形成され、天板及び３つの側板を底板から上部方向に延出する４つの支柱に螺子により取着しているので、各板全てを螺子により組み立てる必要があり、組立作業が煩わしいという問題があった。
【０００５】
なお、組立作業性を向上させるために、特開平７−９５６２６号に示すものが存在する。このものは、底板と、底板の一方側面及び背面を覆うＬ字状側板と、底板の残りの他方側面を覆う側板と、底板の天井面を塞ぐ天井板とを有し、底板及び天井板に各側板を螺子により取着したものである。
【０００６】
このものによれば、Ｌ字状側板により底板の一方側面及び背面を覆うとともに、残りの他方側面を側板で覆っているので、背面板を別体で構成したものに比べて螺子の取付箇所を少なくして、組立作業性を向上させることができる。
【０００７】
【発明が解決しようとする課題】
上述したキャビネットラックにあっては、一方側面と背面とを一体のＬ字状側板で覆っているので、電源線や制御線を挿通して他方側面側から電子機器への接続作業を行う場合、他方側面側の側板を、天井板の１辺と、底板の１辺との２辺から外すことで行える。
【０００８】
しかしながら、スペースの関係で他方側面側から電子機器への接続作業が困難なときで、一方側面側から電子機器への接続作業を行う場合、Ｌ字状側板を、天井板の隣合う２辺と、底板の隣合う２辺との４辺とから外す必要があり、電子機器への制御線や電源線の接続作業の際の取り外し作業が困難であった。
【０００９】
本発明は、かかる事由に鑑みて成されたものであり、その目的とするところは、組立作業を容易にすることができ、かつ、電子機器への制御線や電源線の接続作業の際の取り外し作業を容易にすることができるキャビネットラックを提供することにある。
【００１０】
【課題を解決するための手段】
上述した課題を解決するために、請求項１記載のキャビネットラックは、下板部材と、この下板部材の前面両側から上面側に延出する両側部を下板部材に対して平行な連結部で連結した略コ字状の前板部材と、下板部材の背面側に取着される背板部及びこの背板部に連設されて前板部材に取着される上板部を有した略Ｌ字状の上部背面部材と、この上部背面部材の上板部及び下板部材に取着されて上部背面部材及び前板部材間で形成される側面側の空間を塞ぐ両側部材と、下板部材及び前板部材間で形成される前面側の空間を塞ぐ扉とを備えて成り、前記上部背面部材及び両側部材の少なくとも一方に電子機器への電源線及び制御線の電線挿通孔を設けた構成としてある。
【００１１】
請求項２記載のキャビネットラックは、請求項１のものの上部背面部材の上板部に引掛孔又は引掛爪を設けるとともに前記両側部材の上側に引掛爪又は引掛孔を設け、引掛爪を引掛孔に引掛けるとともに両側部材の下側を前記下板部材にねじ止めして両側部材を取着可能とした構成としてある。
【００１２】
請求項３記載のキャビネットラックは、請求項２のものの上部背面部材の上板部の両側に、引掛孔に引掛爪を引掛けた状態で両側部材の上面及び上板部の上面を略面一とする落とし込み片を設けた構成としてある。
【００１３】
請求項４記載のキャビネットラックは、請求項１乃至請求項３のものの上板部の前板部材側の先端及び前板部材の連結部の後端を、上板部を前板部材に取着するねじの頭部よりも下段側に落とし込んだ構成としてある。
【００１４】
請求項５記載のキャビネットラックは、請求項１乃至請求項４のものの下板部材に、電線挿通孔に沿って電線挿通孔から挿通された電線を束ねるケーブルサポート部を設けた構成としてある。
【００１５】
請求項６記載のキャビネットラックは、請求項５のものの電線挿通孔は、上部背面部材及び両側部材の少なくとも一方の下端から上方向に切欠して形成された構成としてある。
【００１６】
請求項７記載のキャビネットラックは、請求項１乃至請求項６のものの前板部材の連結部の一部を両側部よりも前面に突出させるとともに前記下板部材の一部を前板部材の両側部よりも前面に突出させ、これら連結部の一部及び下板部材の一部に前記扉を開閉自在に枢支させた構成としてある。
【００１７】
請求項８記載のキャビネットラックは、請求項１乃至請求項７のものの前板部材の両側部間に、電子機器への制御線を束ねるケーブルサポート部材を取着した構成としてある。
【００１８】
【発明の実施の形態】
（実施形態１）
本発明の実施形態１のキャビネットラックを図１乃至図６に基づいて説明する。本実施形態のキャビネットラックは、図１に示すように、下板部材 1と、この下板部材 1の前面両側から上面側に延出する両側部 3,4を下板部材 1に対して平行な連結部 5で連結した略コ字状の前板部材 2と、下板部材 1の背面側に取着される背板部 7及びこの背板部 7に連設されて前板部材 2に取着される上板部 8を有した略Ｌ字状の上部背面部材 6と、この上部背面部材 6の上板部 8及び下板部材 1に取着されて上部背面部材 6及び前板部材 2間で形成される側面側の空間を塞ぐ両側部材9,10と、下板部材 1及び前板部材 2間で形成される前面側の空間を塞ぐ扉11と、を備えたものである。
【００１９】
下板部材 1は、一枚の鉄板を折曲して底板12とこの底板12の四周から立設する４つの立上片13とを形成している。４つの立上片13のうちの前面側以外の３つの立上片13には、内部に挿通された電線を束ねるケーブルサポート部14が形成されている。このケーブルサポート部14は、立上片13の上端側の一部を突出させて内部方向で底板12に平行に折曲して形成され、立上片13との間に形成された切溝15に電線を束ねる紐16（図６参照）を挿通することで、電線を束ねることができるようになっている。また、前面側の立上片13は、その先端から底板12と平行に内方向に折曲された第１折返片 13aを形成し、連結部 5との間で扉11を開閉自在に枢支するようにしている。
【００２０】
前板部材 2は、断面大略コ字状に形成され、下板部材 1の前面両側から上面側に延出する両側部 3,4と、この両側部 3,4の上端を下板部材 1に対して平行に連結する連結部 5とを有して略コ字状に形成されている。両側部 3,4は、側面側に位置して前面側の立上片13よりも背面側で両側の立上片 13,13に溶接にて取着される側片17と、この側片17の前面側から内方向に折曲した前片18と、側片17の背面側から内方向に折曲した背片19とにより形成されている。前片18は、下板部材 1の両側の立上片 13,13に取着される基端側と、連結部 5によって連結される先端側とを切断して両側の立上片13に側片17が当接するようにしている。また、背片19は、下板部材 1の両側の立上片 13,13に取着される基端側で側片17との連設部分を切り込んで、両側の立上片 13,13が差し込まれる（図６参照）ように形成されている。
【００２１】
連結部 5は、一枚の鉄板を折曲し、上面側に位置して底板部材 1に平行な連結片20と、この連結片20の前面側で下板部材 1方向に垂下して背面方向に折り返した第２折返片21と、連結片20の背面側で下板部材 1方向に垂下した垂下片22とを形成している。垂下片22には、下板部材 1側に落とし込んで上面に上部背面部材 6の上板部 8を螺子23により取着する舌片 22aが形成されている。この連結部 5は、その連結片20を両側部 3,4の先端に溶接にて取着した状態で、その前面側の一部である第２折返片21が両側部 3,4の前片18よりも前面に突出し、上述した前面側の立上片13との間で扉11を開閉自在に枢支できるようになっており、扉11を両側部材9,10とは別に取着することができ、両側部材9,10の取り外し時に扉11を外す必要がなく、両側部材9,10を外す作業を容易にしている。
【００２２】
上部背面部材 6は、一枚の鉄板を折曲し、下板部材 1の背面側に取着される背板部 7と、この背板部 7に連設されて前板部材 2に取着される上板部 8とを一体として略Ｌ字状に形成されている。背板部 7は、その幅方向中央で下端から上方向を切欠し、背板部 7を下板部材 1に取着した状態で電子機器Ａ（図６参照）への電源線24及び制御線25の電線挿通孔26としている。上板部 8は、基端を背板部 7に連設させるとともに先端を前板部材 2の連結部 5方向に延出させている。上板部 8の両側には、下段に落とし込んだ落とし込み片27が形成され、両側部材9,10を取着した状態で両側部材9,10の上端面と上板部 8の上端面とが略面一となるようにしており、組み立てた状態での見栄えを良くするようにしている。
【００２３】
落とし込み片27には、その基端側に後述する両側部材9,10の引掛爪29を引掛ける引掛孔28が形成されており、両側部材9,10の着脱作業の際に、両側部材9,10の下側のねじを着脱するとともに引掛爪29を引掛孔28から外すことで行うことができ、両側部材9,10の着脱作業を容易にしている。上板部 8の先端8aは、前板部材 2の連結部 5の舌片 22aに取着する螺子23の頭部よりも下段側に落とし込んでいるので、上述した連結部 5の舌片 22aも下段側に落としている関係上、上部背面部材 6の上板部 8を螺子23で前板部材 2に取着したときに、螺子23の頭部が上板部 8よりも外側に突出する恐れがなく、見栄えを良くするようにしている。
【００２４】
両側部材9,10は、その上端側から両側にかけて内方向に折曲された内向片9a,10aを形成し、上端側の内向片9aに、上述した引掛孔28に引掛られる引掛爪29を形成しており、この引掛爪29を引掛孔28に引掛けることで上部背面部材 6に両側部材9,10を取着することができるようになっている。また、両側部材9,10の幅方向中央を下端から上方向に切欠し、両側部材9,10を下板部材 1に取着した状態で電子機器Ａ（図６参照）への電源線24及び制御線25の電線挿通孔26としている。
【００２５】
扉11は、その一端側が下板部材 1の第１折返片 13aと前板部材 2の第２折返片21との間に開閉自在に枢支され、他端側に配設された操作部（図示せず）を操作することにより、鎖錠板（図示せず）が前板部材 2の両側部 3に係合したり非係合したりして、閉じた状態と開いた状態に保持することができるようになっている。
【００２６】
なお、図において 30,31は、前板部材 2の両側部 3,4に各々両側が溶接され、電子機器Ａを取着するとともに電子機器Ａに接続される制御線25を束ねるケーブルサポート部材であり、制御線25である電線を電子機器Ａの前面近傍で束ねることができ、外部から電線25（制御線）を引張ったときの力を和らげて、電線25（制御線）の抜け止めを行うことができるとともに、扉11を開いたときの見栄えを良くすることができるようになっている。
【００２７】
次に、本実施形態のキャビネットラックの組立方法と内部に配設される電子機器への電線接続方法とを説明する。
【００２８】
先ず組立作業は、下板部材 1の両側の立上片 13,13に予めケーブルサポート部 30,31が溶接された前板部材 2の側片 17,17の下端を溶接する。次に、上部背面部材 6の背板部 7を下板部材 1の背面側の立上片13に螺子止めするとともに上部背面部材 6の上板部 8の先端8aを前板部材 2の連結部 5に形成された舌片 22aの外面に係合させて螺子23止めすることにより上部背面部材 6と下板部材 1及び前板部材 2とを組み立てる。最後に、両側部材9,10の上端側の引掛爪 29,29を上部背面部材 6の引掛孔 28,28に引掛けるとともに両側部材9,10の下端側を下板部材 1の両側の立上片 13,13に螺子止めすることにより両側部材9,10を下板部 1及び上部背面部材 6間に取着して組み立て完了となる。従って、上部と背面とを略Ｌ字状に形成された上部背面部材 6で一体形成しているので、各部材を取り付ける螺子の数を少なくでき、もって組立作業を容易にすることができる。
【００２９】
電子機器への電線接続方法は、組み立てられた両側部材9,10のうちの一方から電線を挿通する場合には、両側部材9,10の他方を下板部材 1及び上部背面部材 6から外し、その外した側から電線を引き回すことにより行う。逆に両側部材9,10のうちの他方から電線を挿通する場合には、両側部材9,10の一方を下板部材 1及び上部背面部材 6から外し、その外した側から電線を引き回すことにより行う。さらに、電線を上部背面部材 6から挿通する場合には、両側部材9,10のどちらでも外して電線の引き回し作業を行うことができる。特に、両側部材9,10のどちらでも、下板部材 1の１辺と上部背面部材 6の１辺との合計２辺のみを外せば外すことができ、電子機器Ａへの制御線25や電源線24の接続作業の際の取り外し作業を容易にすることができる。
【００３０】
本実施形態のキャビネットラックにおいて、下板部材 1の各ケーブルサポート部14,14,14は、下板部材 1と上部背面部材 6及び両側部材9,10との間に形成される電線挿通孔26,26,26に沿って設けられているので、外部から電線を引張ったときの力を和らげて、電線の抜け止めを行うことができるようになっている。また、各電線挿通孔26,26,26は、上部背面部材 6と両側部材9,10の下端から切欠して形成されているので、先に下板部材 1のケーブルサポート部14に電線 24,25を紐で束ねておき、その後、上部背面部材 6及び両側部材9,10を下板部材 1に取着することができ、電子機器Ａへの電源線24や制御線25等の電線を接続するときに上部背面部材 6及び両側部材9,10の少なくとも一方を外した状態で行うことができ、電源線24や制御線25等の電線の接続作業を容易にすることができる。
【００３１】
なお、本実施形態によれば、電子機器Ａの前面側に制御線25を接続するとともに電子機器Ａの背面側に電源線24を接続するようになっているが、前面側に電源線24を接続するとともに背面側に制御線25を接続するようなものでも良い。
【００３２】
また、両側部材9,10に引掛孔を設けるとともに上部背面部材 6に引掛爪を設けても良い。
【００３３】
【発明の効果】
請求項１記載のキャビネットラックは、下板部材と、この下板部材の前面両側から上面側に延出する両側部を下板部材に対して平行な連結部で連結した略コ字状の前板部材と、下板部材の背面側に取着される背板部及びこの背板部に連設されて前板部材に取着される上板部を有した略Ｌ字状の上部背面部材と、この上部背面部材の上板部及び下板部材に取着されて上部背面部材及び前板部材間で形成される側面側の空間を塞ぐ両側部材と、下板部材及び前板部材間で形成される前面側の空間を塞ぐ扉とを備えて成り、上部背面部材及び両側部材の少なくとも一方に電子機器への電源線及び制御線の電線挿通孔を設けているので、下板部材に略Ｌ字状で一体に形成された上部背面部材と両側部材との３つの部材を取着することで、底板の両側、背面及び上面を覆うことができ、ネジの数が少なくなり、もって組立作業が容易となる。また、制御線や電源線等を電子機器へ接続する際には、両側部材の一方側又は他方側を、底板の１辺と天井板の１辺との合計２辺から外すのみで、電線挿通孔から挿通された電線を引き回して行うことができ、もって電子機器への制御線や電源線の接続作業の際の取り外し作業を容易にすることができる。
【００３４】
請求項２記載のキャビネットラックは、上部背面部材の上板部に引掛孔又は引掛爪を設けるとともに前記両側部材の上側に引掛爪又は引掛孔を設け、引掛爪を引掛孔に引掛けるとともに両側部材の下側を前記下板部材にねじ止めして両側部材を取着可能としているので、両側部材の着脱作業の際には、両側部材の下側のねじを着脱することで行えることとなり、請求項１記載の効果に加え、更に組立作業を容易にすることができ、かつ、電子機器への制御線や電源線の接続作業の際の取り外し作業を容易にすることができる。
【００３５】
請求項３記載のキャビネットラックは、上部背面部材の上板部の両側に、引掛孔に引掛爪を引掛けた状態で両側部材の上面及び上板部の上面を略面一とする落とし込み片を設けているので、両側部材の上側を上部背面部材の落とし込み片に引掛けると、上部背面部材の上板部及び両側部材の上面を略面一とすることができ、請求項２記載の効果に加え、見栄えを良くすることができる。
【００３６】
請求項４記載のキャビネットラックは、上板部の前板部材側の先端及び前板部材の連結部の後端を、上板部を前板部材に取着するねじの頭部よりも下段側に落とし込んでいるので、上部背面部材の上板部をねじで前板部材の連結部に取着したときに、螺子の頭部が上板部よりも外側に突出する恐れがなく、請求項３記載の効果に加え、更に見栄えを良くすることができる。
【００３７】
請求項５記載のキャビネットラックは、下板部材に、電線挿通孔に沿って電線挿通孔から挿通された電線を束ねるケーブルサポート部を設けているので、電線挿通孔から挿通された電線を電線挿通孔近傍で束ねることができ、請求項１乃至請求項４記載の効果に加え、外部から電線を引張ったときの力を和らげて、電線の抜け止めを行うことができる。
【００３８】
請求項６記載のキャビネットラックは、電線挿通孔は、上部背面部材及び両側部材の少なくとも一方の下端から上方向に切欠して形成されているので、先に下板部材のケーブルサポート部に電線を紐で束ねておき、その後、上部背面部材及び両側部材を下板部材に取着することができ、請求項５記載の効果に加え、電子機器への電源線や制御線等の電線を接続するときに上部背面部材及び両側部材の少なくとも一方を外した状態で行うことができ、電源線や制御線等の電線の接続作業を容易にすることができる。
【００３９】
請求項７記載のキャビネットラックは、前板部材の連結部の一部を両側部よりも前面に突出させるとともに前記下板部材の一部を前板部材の両側部よりも前面に突出させ、これら連結部の一部及び下板部材の一部に前記扉を開閉自在に枢支させているので、扉を両側部材とは別に取着することができ、請求項１乃至請求項６記載の効果に加え、両側部材の取り外し時に扉を外す必要がなく、両側部材を外す作業が容易となる。
【００４０】
請求項８記載のキャビネットラックは、前板部材の両側部間に、電子機器への制御線を束ねるケーブルサポート部材を取着しているので、電線を電子機器の前面近傍で束ねることができ、請求項１乃至請求項７記載の効果に加え、外部から電線を引張ったときの力を和らげて、電線の抜け止めを行うことができるとともに、扉を開いたときの見栄えを良くすることができる。
【図面の簡単な説明】
【図１】本発明の実施形態１を示す分解斜視図である。
【図２】同上の斜視図である。
【図３】同上の両側部材を外した側面図である。
【図４】同上の上部背面部材と両側部材との取付説明図である。
【図５】同上の前板部材と上部背面部材との取付説明図である。
【図６】同上の電子機器へ電線を接続する説明図である。
【符号の説明】
1    下板部材
2    前板部材
3,4    両側部
5    連結部
6    上部背面部材
7    背板部
8    上板部
9,10    両側部材
11    扉
26    電線挿通孔
【図１】
0003654054.tif 000002
【図２】
0003654054.tif 000003
【図３】
0003654054.tif 000004
【図４】
0003654054.tif 000005
【図５】
0003654054.tif 000006
【図６】
0003654054.tif 000007